(57)【要約】【課題】  樹脂製袋に入れた液状の収容物でも漏らす事なく確実に密封でき、さらに袋口を損傷することもなく何度でも利用可能で、尚且つ誰でも簡便に使用できる、袋口閉じ具を提供する。【解決手段】  雄ねじを形成し溝を設けた本体と、雌ねじを形成し前記溝と嵌合する突起を遊嵌状態で支持した蓋体とから成り、袋口を溝に置き、蓋体の突起を溝に合わせ右に回すと、雄ねじと雌ねじが噛み合い、袋口は溝と突起で強力に締め付けられ密封できる、袋口閉じ具。【選択図】図１
2015113177.tif 000002
【特許請求の範囲】
【請求項１】
雄ねじを形成し袋口を置く溝を設けた本体と、雌ねじを形成した蓋体と、前記蓋体を貫通した軸の先端が太く形成され、遊嵌状態に支持された突起とからなる、袋口閉じ具。
【請求項２】
前記溝の底面は、袋口を損傷させないようにＵ形で側面は、テーパー状に形成されていることを特徴とする請求項１記載の、袋口閉じ具。
【請求項３】
前記突起は、弾性体で下面が波状に形成されていることを特徴とする請求項１記載の、袋口閉じ具。
【請求項４】
前記蓋体の側面外周は、滑らない様凹凸に形成されていることを特徴とする請求項１記載の、袋口閉じ具。
【発明の詳細な説明】
【技術分野】
【０００１】  本発明は、樹脂製袋の口を密封する、袋口閉じ具である。
【背景技術】
【０００２】  従来、袋の口を止める具として、２本の並列した棒状の本体中央部を輪状にした特許文献１さらに、絞った袋口を通す複数のスリットと、袋口を止める止め穴を備えた特許文献２が知られている。
また、樹脂製袋の開口部を確実に密封する方法として、チャック付きの袋や、袋口を熱で溶かし溶着するヒートシーラーが知られている。【０００３】  しかし、特許文献１は中央部の輪状にした部分で開封口を挟み丸め、内側に曲げるだけのため密封性はない。また特許文献２は絞った袋口を複数のスリットと止め穴に通す構造であり、例えば液状の物を収容して袋口から漏らさず密封するのは困難である。
【先行技術文献】
【特許文献】
【０００４】
【特許文献１】  特開２００５−１５０３７号公報
【特許文献２】  特開２０１１−１８９９８０号公報
【発明の概要】
【発明が解決しようとする課題】
【０００５】  そのため、次のような問題点があった。
特許文献１や２の袋閉じ具は、樹脂製袋の開口部を閉じる機能は備えているが、例えば液状の物を収容して袋口から漏らさず密封するのは困難であるという欠点があった。【０００６】  また、樹脂製袋に液状の物を収容して完全に密封できるチャック付の袋は、高価なので使用後捨てるのがもったいなく、内部を洗い再使用することもあり不衛生であった。
また、ヒートシーラーは電源が必要であり濡れた場所では使用できずさらに、高価であり使用できる袋の材質が限られるという欠点があった。【０００７】  本発明は、これらの問題点を鑑みてなされたものであって、樹脂製袋に入れた例えば液状の収容物でも漏らす事なく確実に密封でき、さらに袋口を損傷せず何度でも利用可能で、尚且つ誰でも簡便に使用できる、袋口閉じ具を提供することを目的とする。
【課題を解決するための手段】
【０００８】  上記の目的を達成するため、雄ねじを（５）形成し、捻った袋口（３）を置く溝（８）を設けた本体（１）と、雌ねじ（６）を形成した蓋体（２）と、前記蓋体（２）を貫通した軸（１０）の先端は太く形成され遊嵌状態に支持された突起（７）とからなり、この突起（７）を溝（８）に嵌合し蓋体（２）を回して、捻った袋口（３）を締め付けるものである。【０００９】  本体（１）に設けた溝（８）の底面は、捻った袋口（３）を傷つけないようにＵ形で、側面はテーパー状に形成される。【００１０】  溝（８）と嵌合する突起（７）は、弾性体で下面は波状（９）に形成される。また蓋体（２）の側面外周は、回す時手が滑らない様凹凸（４）に形成される。
以上を特徴とする袋口閉じ具。
【発明の効果】
【００１１】  本発明は、袋の袋口（３）を捻って本体（１）の溝（８）に置く、次に蓋体（２）の突起（７）を、本体（１）の溝（８）に合わせ蓋体（２）を右方向に回すと、雄ねじ（５）と雌ねじ（６）がかみ合い、捻った袋口（３）を溝（８）と突起（７）が、ねじの強力な締め付けトルクで強く密封するので収容物が袋口（３）から漏れる出る事はない。【００１２】  また、本体の雄ねじ（５）と蓋体の雌ねじ（６）で締め付けたねじの軸力は、そのまま維持されるので突起（７）と溝（８）で強く締め付けた袋口（３）は緩まず、密封状態が保たれる。【００１３】  本体（１）に設けた溝（８）の底面は、Ｕ形で側面はテーパー状に形成され、突起（７）は弾性体で下面は波状（９）になっているので、袋口（３）を傷つけることはない、また蓋体（２）の側面外周は凹凸（４）に形成されているので、手が滑らず締め付け、緩めることが容易にできる。【００１４】  突起（７）は、蓋体（２）を貫通した軸（１０）の先端が太く形成されているので落下しない、また遊嵌状態に支持されるので蓋体（２）を回しても追従して回転することはない。
【図面の簡単な説明】
【００１５】
【図１】  本発明の使用状態を示す斜視図
【図２】  本発明の本体と蓋体の正面斜視図
【図３】  本発明の本体と蓋体の斜視図
【図４】  本発明の突起が波状蓋体の断面図
【図５】  本発明の受け台と凸部で締め付ける本体と蓋体の斜視図
【図６】  本発明の胴部と鍔で締め付ける本体と蓋体の斜視図
【発明を実施するための形態】
【００１６】  以下、本発明の実施の形態について説明する。
（イ）本体には雄ねじ（５）を形成し、捻った袋口（３）を置く溝（８）の底面はＵ状に形成されているので袋口（３）を損傷することはない、また側面はテーパー状になっているので、溝（８）と嵌合する突起（７）が噛み合い抜けなくなるのを防止できる。
（ロ）蓋体（２）には雌ねじ（６）を形成し、前記溝（８）と嵌合する突起（７）は蓋体（２）を貫通した軸（１０）の先端が太く形成されているので落下しない。また、遊嵌状態に支持されるので蓋体（２）を回しても追従して回転することはない。
（ハ）図４に示されているように、突起（７）は弾性体で下面が波状（９）に形成されているので、締め付ける力が接触面に集中され強力に密封でき、さらに袋口（３）を損傷することもない。
（ニ）蓋体（２）の側面外周は締め付ける時、手が滑らない様凹凸（４）に形成されている。
本発明は以上のような構成である。
【００１７】  本発明を使用するときは、雄ねじ（５）を形成した本体の溝（８）に捻った袋口（３）を置く、次に雌ねじ（６）を形成した蓋体（２）の突起（７）を溝（８）に合わせ右方向に回す、すると雄ねじ（５）と雌ねじ（６）がかみ合い、ねじの強力な締め付けトルクが突起（７）の先端と溝（８）の底面で、捻った袋口（３）を締め付けるので密封できる。
【００１８】  また、本体の雄ねじ（５）と蓋体の雌ねじ（６）で締め付けた、強力なねじの軸力は、そのまま維持されるので突起（７）と溝（８）で強く締め付けた袋口（３）は緩まず、密封状態が保たれる。
【００１９】  また、突起（７）は、蓋体（２）を貫通した軸（１０）の先端が太く形成されているので落下しない、さらに突起（７）は遊嵌状態に支持されるので蓋体（２）を回しても追従して回転することはない。
【００２０】  溝（８）の底面はＵ状に形成されているので袋口（３）を損傷することはない、また側面はテーパー状になっているので、溝（８）と嵌合する突起（７）が噛み合い抜けなくなるのを防止できる。
【００２１】  突起（７）は、弾性体で下面が波状（９）に形成されているので、締め付ける力が接触面に集中され袋口（３）を強力に締め付け密封できる、また損傷することもない。さらに例えば液状の収容物であっても、漏れ出ることなく密封できる。
【００２２】  蓋体（２）の側面外周は、凹凸（４）に形成されているので、右に回して袋口（３）を締め付ける時、また左に回して袋口（３）を緩める時、手が滑らず開閉できる。
【００２３】  樹脂製袋に水を入れ袋口（３）を捻って、図１に示す袋口閉じ具で密封後、袋口を下向きにしても水が袋口から漏れ出ることはなかった。また、樹脂製袋に空気を入れ袋口（３）を捻って、図１に示す袋口閉じ具で密封後、水槽の中に入れても袋口から空気が漏れ出ることはなかった。
【００２４】  液状やコロイド状の食材を冷凍、冷蔵するには漏れることのないチャック付袋を使用するのが一般的であるが、図１に示す袋口閉じ具を使うと、普通の樹脂製袋に食材を収容後、袋口（３）を捻って本体（１）の溝（８）に置く、次に蓋体（２）の突起（７）を、本体（１）の溝（８）に合わせ蓋体（２）を右方向に回すと、雄ねじ（５）と雌ねじ（６）がかみ合い、ねじの強力な締め付けトルクが突起（７）の先端と溝（８）の底面で、捻った袋口（３）を強力に締め付け密封するので、収容物は袋口（３）から漏れる事なく保存できる。
【００２５】  また、ポリ袋に食材を入れて料理をする調理方法が知られている、濡れた袋口を結んで密封、解いて取り出しする煩雑な作業が必要であったが、図１に示す袋口閉じ具を使うと、袋口（３）を捻って本体（１）の溝（８）に置く、次に蓋体（２）の突起（７）を、本体（１）の溝（８）に合わせ蓋体（２）を右方向に回すと、雄ねじ（５）と雌ねじ（６）がかみ合い、ねじの強力な締め付けトルクが突起（７）の先端と溝（８）の底面で、捻った袋口（３）を強力に締め付け密封するので、濡れた袋口を結んで密封、解いて取り出しする煩雑な作業が不要になる。
【００２６】  また、布団や衣類を収容して容積を小さくできる圧縮袋が知られているが、図１に示す袋口閉じ具を使うと、普通の樹脂製袋に布団や衣類を収容する、袋内の空気を掃除機で吸引後、袋口（３）を捻って本体（１）の溝（８）に置く、次に蓋体（２）の突起（７）を、本体（１）の溝（８）に合わせ蓋体（２）を右方向に回すと、雄ねじ（５）と雌ねじ（６）がかみ合い、ねじの強力な締め付けトルクが突起（７）の先端と溝（８）の底面で、捻った袋口（３）を強力に締め付け密封するので、密封状態が維持され、空気も侵入せず、安価な樹脂製袋が圧縮袋として使用できる。
【００２７】  本体はプラスチックで構成されるので、安価で加工もしやすく簡単な構造で、製造コストを安く出来る。また、高価なチャック付袋や圧縮袋の代わりに、安価な樹脂製袋を使えるので利用範囲が広がり、利便性がよくなる。
【００２８】  図６に示す構成は、本体（１）の溝（８）に対し直角に交わる受け台（１１）を設け、そこに捻った袋口（３）を乗せ、蓋体（２）と一体となった凸部（１２）で捻った袋口（３）を締め付け密封する方法である。突起部が不要でより安価に製造できる。
【００２９】  図７に示す構成は、本体（１）の溝（８）周囲に胴部（１４）を厚く設け、そこに捻った袋口（３）を乗せ、蓋体（２）に周設した鍔（１３）で捻った袋口（３）を締め付け密封する方法である。構造が簡単でより安価に製造できる。
【符号の説明】
【００３０】  １  本体                        ８  溝
２  蓋体                        ９  波状
３  袋口                        １０軸
４  凸凹                        １１受け台
５  雄ねじ                      １２凸部
６  雌ねじ                      １３鍔
７  突起                        １４胴部
【図１】
2015113177.tif 000003
【図２】
2015113177.tif 000004
【図３】
2015113177.tif 000005
【図４】
2015113177.tif 000006
【図５】
2015113177.tif 000007
【図６】
2015113177.tif 000008